(57)【要約】【課題】コンテンツの選択を短時間で実行できるＶＯＤ端末装置を提供する。【解決手段】ＩＰネットワーク６を通じて、選択したコンテンツを配信サーバ３から受信するＶＯＤ端末装置１に、コンテンツの課金管理を行う課金サーバ５からコンテンツ一覧情報を取得するコンテンツ一覧取得部１４と、このコンテンツ一覧情報に記述されたコンテンツの情報を表示するコンテンツ一覧表示部１３と、表示されたコンテンツの情報から、配信を受けるコンテンツを選択するコンテンツ選択部７とを設けている。このＶＯＤ端末装置１では、装置内に保存されたコンテンツ一覧を参照してコンテンツの選択が行われるため、コンテンツ選択時のネットワークの負荷が軽減され、コンテンツの選択を短時間で行うことが可能になり、ＶＯＤサービスの利用者の利便性が向上する。【選択図】図１
2006345365.tif 000002
【特許請求の範囲】
【請求項１】
ＩＰネットワークを通じて、選択したコンテンツを配信サーバから受信するビデオ・オン・デマンド端末装置であって、
前記コンテンツの課金管理を行う課金サーバからコンテンツ一覧情報を取得するコンテンツ一覧取得部と、
前記コンテンツ一覧情報に記述されたコンテンツの情報を表示するコンテンツ一覧表示部と、
表示された前記コンテンツの情報から、配信を受けるコンテンツを選択するコンテンツ選択部と、
を備えるビデオ・オン・デマンド端末装置。
【請求項２】
請求項１に記載のビデオ・オン・デマンド端末装置であって、
前記コンテンツ一覧表示部が、前記コンテンツ一覧情報に記述されたコンテンツの属性の情報を表示するとともに、選択された前記属性を有するコンテンツの情報を表示するビデオ・オン・デマンド端末装置。
【請求項３】
請求項１または２に記載のビデオ・オン・デマンド端末装置であって、
前記コンテンツ一覧表示部が、前記コンテンツ一覧情報に記述されたコンテンツの年齢制限情報に基づいて、表示する前記コンテンツの情報を制限するビデオ・オン・デマンド端末装置。
【請求項４】
ＩＰネットワークを通じて、選択したコンテンツを配信サーバから受信するビデオ・オン・デマンド端末装置のコンテンツ選択方法であって、
前記コンテンツの課金管理を行う課金サーバからコンテンツ一覧情報を取得する第１のステップと、
前記コンテンツ一覧情報に記述されたコンテンツの情報を表示する第２のステップと、
表示された前記コンテンツの情報から、配信を受けるコンテンツを選択する第３のステップと、
を備えるコンテンツ選択方法。  
【請求項５】
請求項４に記載のコンテンツ選択方法であって、
前記第２のステップにおいて、前記コンテンツ一覧情報に記述されたコンテンツの属性の情報を表示するとともに、選択された前記属性を有するコンテンツの情報を表示するコンテンツ選択方法。
【請求項６】
請求項４または５に記載のコンテンツ選択方法であって、
前記第２のステップにおいて、前記コンテンツ一覧情報に記述されたコンテンツの年齢制限情報に基づいて、表示する前記コンテンツの情報を制限するコンテンツ選択方法。
【発明の詳細な説明】
【技術分野】
【０００１】
本発明は、ビデオ・オン・デマンド（以下、「ＶＯＤ」と言う。）システムから、選択したコンテンツを取得するＶＯＤ端末装置と、そのコンテンツの選択方法に関し、特に、コンテンツを素早く選択できるようにしたものである。
【背景技術】
【０００２】
ＶＯＤシステムは、複数のタイトルの映像を蓄積しているＶＯＤサーバが、セット・トップ・ボックス（以下、「ＳＴＢ」と言う。）と呼ばれる端末装置から送信される要求に応じて、要求されたビデオ・コンテンツを要求元のＳＴＢに送信するシステムであり、ＳＴＢに送信された映像がＴＶ画面等に表示される。そのため、ユーザは、好きなときに好きな映像や音声を視聴することができる。
【０００３】
従来のＶＯＤシステムでは、例えば、下記特許文献１に記載されているように、ＶＯＤ端末がＷｅｂサーバから表示メニューデータを受信し、ブラウザ画面上でコンテンツの選択が行われる。ユーザが見たいコンテンツを選択すると、ＶＯＤ端末は、Ｗｅｂサーバにファイル配信要求を送信し、これを受けたＷｅｂサーバが、選択されたコンテンツの番組名を含むＷｅｂデータをＶＯＤ端末に送る。ＶＯＤ端末は、このＷｅｂデータを基に映像配信要求を生成してＶＯＤサーバに送信し、ＶＯＤサーバは、要求された映像データをＶＯＤ端末に配信する。ＶＯＤ端末は、受信した映像データから動画像と音声とを復元してモニタに表示する。
【特許文献１】特開平９−３３１５１７号公報
【発明の開示】
【発明が解決しようとする課題】
【０００４】
しかし、従来のコンテンツ選択方法では、ＶＯＤサーバでのコンテンツの蓄積数が多くなると、ＶＯＤ端末装置は、Ｗｅｂサーバから大量の表示メニューデータを受信する必要が生じてくる。
【０００５】
また、ユーザは、リモートコントローラのボタンを操作して、モニタ画面に表示された表示メニューから見たいコンテンツを検索しているが、コンテンツ蓄積数の増大に伴い、コンテンツ選択の際に、リモートコントローラの上下左右ボタンを頻繁に押してブラウザ上で画面遷移を繰り返す操作が必要になる。
【０００６】
こうしたネットワークでのトラフィックの増大や、ブラウザ上での画面遷移の増加は、コンテンツの選択に多くの時間が掛かる原因となる。
【０００７】
本発明は、こうした状況を考慮して創案したものであり、コンテンツの選択を短時間で実行できるＶＯＤ端末装置を提供し、また、そのコンテンツ選択方法を提供することを目的としている。
【課題を解決するための手段】
【０００８】
本発明では、ＩＰネットワークを通じて、選択したコンテンツを配信サーバから受信するＶＯＤ端末装置に、コンテンツの課金管理を行う課金サーバからコンテンツ一覧情報を取得するコンテンツ一覧取得部と、このコンテンツ一覧情報に記述されたコンテンツの情報を表示するコンテンツ一覧表示部と、表示されたコンテンツの情報から、配信を受けるコンテンツを選択するコンテンツ選択部とを設けている。
【０００９】
このＶＯＤ端末装置では、装置内に保存されたコンテンツ一覧を参照してコンテンツの選択が行われる。
【００１０】
また、本発明のＶＯＤ端末装置は、コンテンツ一覧表示部が、コンテンツ一覧情報に記述されたコンテンツの属性の情報を表示するとともに、選択された属性を有するコンテンツの情報を表示するように構成している。
【００１１】
このＶＯＤ端末装置では、コンテンツ一覧情報に記述されたコンテンツの中から、選択された属性を有するコンテンツだけが表示され、属性の選択を変えれば、その属性を有するコンテンツだけの表示に切り替わる。
【００１２】
また、本発明のＶＯＤ端末装置では、コンテンツ一覧表示部が、コンテンツ一覧情報に記述されたコンテンツの年齢制限情報に基づいて、表示するコンテンツの情報を制限するように構成している。
【００１３】
このＶＯＤ端末装置では、年齢制限に引っ掛かるコンテンツは、選択対象のコンテンツとして表示されない。
【００１４】
また、本発明では、ＩＰネットワークを通じて、選択したコンテンツを配信サーバから受信するＶＯＤ端末装置のコンテンツ選択方法に、コンテンツの課金管理を行う課金サーバからコンテンツ一覧情報を取得する第１のステップと、コンテンツ一覧情報に記述されたコンテンツの情報を表示する第２のステップと、表示されたコンテンツの情報から、配信を受けるコンテンツを選択する第３のステップとを含めている。
【００１５】
この方法では、ＶＯＤ端末装置内に保存されたコンテンツ一覧を参照して、コンテンツの選択が行われる。
【００１６】
また、本発明のコンテンツ選択方法では、第２のステップにおいて、コンテンツ一覧情報に記述されたコンテンツの属性の情報を表示するとともに、選択された属性を有するコンテンツの情報を表示するようにしている。
【００１７】
そのため、コンテンツ一覧情報に記述されたコンテンツの中から、選択された属性を有するコンテンツだけが表示される。
【００１８】
また、本発明のコンテンツ選択方法では、第２のステップにおいて、コンテンツ一覧情報に記述されたコンテンツの年齢制限情報に基づいて、表示するコンテンツの情報を制限するようにしている。
【００１９】
そのため、コンテンツの選択画面には、年齢制限を受けないコンテンツだけが表示される。
【発明の効果】
【００２０】
本発明のＶＯＤ端末装置及びコンテンツ選択方法では、ＶＯＤ端末内に保存したコンテンツ一覧を参照してコンテンツが選択されるため、コンテンツ選択時のネットワークの負荷が軽減され、コンテンツの選択を短時間で行うことが可能になり、ＶＯＤサービスの利用者の利便性が向上する。
【発明を実施するための最良の形態】
【００２１】
（第１の実施の形態）
図１は、本発明の第１の実施の形態におけるＶＯＤ端末と、それを含むＶＯＤシステムについて示す図である。
【００２２】
このシステムは、ＶＯＤ端末１と、ＶＯＤサーバ３と、Ｗｅｂサーバ４と、課金サーバ５と、これらを接続するＩＰネットワーク６とを備えており、ＶＯＤ端末１には、モニタ２とリモートコントローラ７とが付属している。
【００２３】
ＶＯＤサーバ３は、ＶＯＤコンテンツを登録・蓄積する。Ｗｅｂサーバ４は、ＶＯＤコンテンツの詳細情報を記載したファイルを保持し、ＶＯＤサービスの受入窓口となる。課金サーバ５は、ＶＯＤコンテンツの利用者への課金に必要な情報として、ＶＯＤコンテンツのアドレスや料金、タイトル等が記載されたコンテンツ一覧情報を保持している。
【００２４】
図２は、 課金サーバ５で保持されたコンテンツ一覧情報の一例を示している。このコンテンツ一覧情報には、ＶＯＤサーバ３に登録されたコンテンツの名称や、コンテンツのＵｎｉｆｏｒｍ Ｒｅｓｏｕｒｃｅ Ｌｏｃａｔｏｒ（以下、「ＵＲＬ」と言う。）、ジャンル、視聴対象年齢、料金などの情報が含まれている。視聴対象年齢は、年齢制限のあるコンテンツに対して、許容される年齢の下限が記述され、年齢制限のないコンテンツには“−”が記述されている。
【００２５】
また、リモートコントローラ７は、モニタ２に表示された画面を操作するために使用され、図４に示すように、電源ボタン７１、メニューボタン７２、数字ボタン７３、上ボタン７４１、下ボタン７４４、右ボタン７４３、左ボタン７４２、決定ボタン７５等を有している。
【００２６】
また、ＶＯＤ端末１は、ネットワーク接続部１６と、リモコンデータ受信部１５と、映像・音声復号化部１１と、映像・音声出力部１２と、重畳表示を制御するＯＳＤ（On Screen Display）制御部１３と、ブラウザ表示部１８と、コンテンツ一覧取得部１４と、コンテンツ一覧保存部１７とを備えている。
【００２７】
ネットワーク接続部１６は、ＶＯＤ端末１をＩＰネットワーク６に接続する。リモコンデータ受信部１５は、リモートコントローラ７からのデータを受信する。映像・音声復号化部１１は、ネットワーク接続部１６を介してＶＯＤサーバ３から受信したＶＯＤコンテンツの映像・音声を復号化する。ブラウザ表示部１８は、ネットワーク接続部１６を介してＷｅｂサーバ４から受信したデータの表示処理を行う。コンテンツ一覧取得部１４は、ネットワーク接続部１６を介して課金サーバ５からコンテンツ一覧情報を取得する。コンテンツ一覧保存部１７は、コンテンツ一覧取得部１４が取得したコンテンツ一覧情報を保存する。ＯＳＤ制御部１３は、リモートコントローラ７の操作に応じて、コンテンツ一覧情報を重畳表示するための画像処理を行う。映像・音声出力部１２は、映像・音声復号化部１１により復号化された映像・音声データ、ブラウザ表示部１８により表示処理されたブラウザ画面の画像データ、及び、ＯＳＤ制御部１３により生成された重畳表示用の画像データをモニタ２に出力する。
【００２８】
次に、このＶＯＤ端末１でのコンテンツ選択方法について説明する。
【００２９】
ＶＯＤ端末１のコンテンツ一覧取得部１４は、予め、ネットワーク接続部１６を介して、ネットーワーク６に接続されている課金サーバ５よりコンテンツ一覧情報を取得する。コンテンツ一覧取得部１４は、このコンテンツ一覧情報をコンテンツ一覧保存部１７に記憶させる。
【００３０】
ＶＯＤサービスを利用しようとするユーザは、ＶＯＤ端末１からＷｅｂサーバ４にアクセスする。ＶＯＤ端末１のブラウザ表示部１８は、Ｗｅｂサーバ４から送られたデータを表示処理し、映像・音声出力部１２は、これをモニタ２に出力し、モニタ２には、例えば図９に示すブラウザ画面が表示される。
【００３１】
ＶＯＤサービスのコンテンツを選択するユーザは、リモートコントローラ７から所定の操作を行う。リモートコントローラ７の指示は、リモコンデータ受信部１５を通じてＯＳＤ制御部１３に送られる。
【００３２】
ＯＳＤ制御部１３は、リモートコントローラ７から所定の指示が入力されると、コンテンツ一覧保存部１７からコンテンツ一覧情報を読み出し、コンテンツ一覧情報のコンテンツ名及び料金を画像データに変換して、映像・音声出力部１２に出力する。映像・音声出力部１２は、ブラウザ表示部１８より出力された画像データに、ＯＳＤ制御部１３より出力された画像データを重畳させてモニタ２に出力する。
【００３３】
この処理により、モニタ２には、図３に示すように、ブラウザ画面に重ねて、ＯＳＤ制御部１３から出力された画像データ（コンテンツ選択画像）２３が表示される。図３のカーソル２２は、リモートコントローラ７の上ボタン７４１または下ボタン７４４の操作でコンテンツ選択画像２３上を上下に移動し、この操作でカーソル２２位置のコンテンツが順次切り替わる。
【００３４】
このとき、ＯＳＤ制御部１３は、リモートコントローラ７の上ボタン７４１または下ボタン７４４のボタン操作を受けて、カーソル２２の表示位置を更新したコンテンツ選択画像２３の画像データを映像・音声出力部１２に出力する。
【００３５】
ユーザは、リモートコントローラ７の上ボタン７４１または下ボタン７４４を操作し、コンテンツ選択画像２３上でカーソル２２を所望のコンテンツに合わせた後、決定ボタン７５を押下する。
【００３６】
ＯＳＤ制御部１３は、リモコンデータ受信部１５を介して決定ボタン７５のデータを受信すると、コンテンツ一覧情報から、カーソル２２の位置に対応するコンテンツのＵＲＬを読み出してブラウザ表示部１８に送信する。
【００３７】
ブラウザ表示部１８は、ＯＳＤ制御部１３から受信したＵＲＬの画像を映像・音声出力部１２に出力する。映像・音声出力部１２は、モニタ２に出力する映像を、ブラウザ表示部１８から出力された画像に切換える。それにより、ユーザがコンテンツ選択画像２３上で選択したコンテンツのＵＲＬがブラウザ画面上に表示され、ＶＯＤサービスに求めるコンテンツが選択される。
【００３８】
選択したコンテンツの配信要求は、従来のシステムと同様に、ＶＯＤ端末１からＷｅｂサーバ４に対して行われる。このとき、Ｗｅｂサーバ４は、ＵＲＬで特定されたコンテンツの詳細情報を含むＷｅｂデータをＶＯＤ端末１に送り、ＶＯＤ端末１は、このＷｅｂデータを基に映像配信要求を生成してＶＯＤサーバ３に送信する。これを受けてＶＯＤサーバ３は、要求された映像データをＶＯＤ端末１に配信する。
【００３９】
また、この場合に、ＶＯＤ端末１が、Ｗｅｂサーバ４から受信したコンテンツの詳細情報をモニタ２に表示し、これを見たユーザから決定の操作が行われたとき、ＶＯＤサーバ３に映像配信要求を送信するようにしても良い。
【００４０】
また、コンテンツ選択時に特定したＵＲＬを利用して、コンテンツの詳細情報やコンテンツの映像データを直接、そのＵＲＬから取得するようにしても良い。
【００４１】
このように、このＶＯＤ端末のコンテンツ選択方法では、コンテンツ一覧情報を一度受信して保存しておけば、コンテンツを選択する際に、一々、大量の表示メニューデータを受信する必要が無くなるため、コンテンツの選択を短時間で行うことが可能になる。
【００４２】
なお、コンテンツ選択画像２３として、コンテンツ名だけを表示するようにしても良い。
【００４３】
また、ブラウザ画面に重畳表示するコンテンツ選択画像２３は、図５に示すように、画面の横方向に並べて表示し、リモートコントローラ７の左ボタン７４２または右ボタン７４３の操作でカーソル２２が左右に移動するようにしても良い。
【００４４】
また、コンテンツ選択画像２３として、カーソル２２位置のコンテンツの前後のコンテンツだけを表示し、カーソル２２の移動に伴い、コンテンツ選択画像２３として表示するコンテンツ名を切換えるようにしても良い。
【００４５】
また、ここでは、リモートコントローラ７を用いて画面操作を行う場合について説明したが、タッチパネルを使用してもよい。
【００４６】
また、ここでは、コンテンツ選択画像２３をブラウザ画面上に重畳表示する場合について説明したが、それだけでなく、ＶＯＤサーバ３から配信された映像が、映像・音声復号化部１１で復号化されて表示されているとき、その画面上にコンテンツ選択画像２３を重畳表示し、或いは、その他の画面上にコンテンツ選択画像２３を重畳表示して、コンテンツの選択を可能にしても良い。
【００４７】
（第２の実施の形態）
本発明の第２の実施の形態では、コンテンツ選択画像として表示するコンテンツを限定して、コンテンツの選択時間を短縮化するコンテンツの選択方法について説明する。
【００４８】
図６は、本発明の第２の実施の形態におけるＶＯＤ端末のＯＳＤ制御部１３の構成を示している。このＯＳＤ制御部１３は、コンテンツ一覧情報をコンテンツの属性で分類する属性情報制御部１３１と、コンテンツ一覧情報の重畳表示を制御する表示制御部１３２とを備えている。ＶＯＤ端末のその他の構成は、第１の実施の形態（図１）と変わりがない。
【００４９】
ＯＳＤ制御部１３の属性情報制御部１３１は、コンテンツ一覧情報に含まれるコンテンツを属性（ここでは「ジャンル」を例にする。）に基づいて分類する。リモートコントローラ７から所定の指示が入力されると、属性情報制御部１３１は、コンテンツ一覧情報に含まれる全てのジャンル名と、予め１番目に設定されたジャンルに属するコンテンツ名及び料金の情報とを表示制御部１３２に出力し、表示制御部１３２は、属性情報制御部１３１から送られたこれらの情報を画像データに変換して映像・音声出力部１２に出力する。
【００５０】
図７は、図９のブラウザ画面の上に表示制御部１３２から出力された画像データ（属性選択画像２４とコンテンツ選択画像２３）が重畳表示されたモニタ２の表示画面を示している。
【００５１】
図７の属性カーソル２４１は、リモートコントローラ７の上ボタン７４１または下ボタン７４４の操作で属性選択画像２４上を上下に移動し、この操作で属性カーソル２４１位置のジャンルが順次切り替わる。
【００５２】
このとき、ＯＳＤ制御部１３の属性情報制御部１３１は、リモートコントローラ７の上ボタン７４１または下ボタン７４４のボタン操作を受けて、属性カーソル２４１の表示位置のジャンルに属するコンテンツ名及び料金の情報を表示制御部１３２に出力し、また、表示制御部１３２は、このボタン操作を受けて、属性カーソル２４１の表示位置を更新したジャンル選択画像２４と、更新したジャンルのコンテンツ選択画像２３との画像データを映像・音声出力部１２に出力する。
【００５３】
一方、図７のコンテンツカーソル２３１は、リモートコントローラ７の右ボタン７４３または左ボタン７４２の操作でコンテンツ選択画像２３上を左右に移動し、この操作でコンテンツカーソル２３１位置のコンテンツが順次切り替わる。このとき、ＯＳＤ制御部１３の表示制御部１３２は、リモートコントローラ７の右ボタン７４３または左ボタン７４２の操作に応じて、コンテンツカーソル２３１の表示位置を更新したコンテンツ選択画像２３の画像データを映像・音声出力部１２に出力する。
【００５４】
ユーザは、リモートコントローラ７の上ボタン７４１または下ボタン７４４を操作して、属性選択画像２４から好みのジャンルを選択し、そのときに表示されたコンテンツ選択画像２３から、リモートコントローラ７の右ボタン７４３または左ボタン７４２を操作して好みのコンテンツを選択し、決定ボタン７５を押下する。
【００５５】
ＯＳＤ制御部１３は、リモコンデータ受信部１５を介して決定ボタン７５のデータを受信すると、コンテンツ一覧情報から、コンテンツカーソル２３１の位置に対応するコンテンツのＵＲＬを読み出してブラウザ表示部１８に送信する。
【００５６】
ブラウザ表示部１８は、ＯＳＤ制御部１３から受信したＵＲＬの画像を映像・音声出力部１２に出力し、映像・音声出力部１２は、モニタ２に出力する映像を、ブラウザ表示部１８から出力された画像に切換える。それにより、ユーザがコンテンツ選択画像２３上で選択したコンテンツのＵＲＬがブラウザ画面上に表示され、ＶＯＤサービスに求めるコンテンツが選択される。
【００５７】
このように、このコンテンツ選択方法では、ＶＯＤサーバ３に登録されているコンテンツが多い場合でも、コンテンツ一覧情報を属性に従って検索することができるため、所望のコンテンツを短時間で検索することが可能になる。
【００５８】
（第３の実施の形態）
本発明の第３の実施の形態では、コンテンツ選択画像として表示するコンテンツを年齢属性に基づいて制限するコンテンツ選択方法について説明する。
【００５９】
ここでは、ＶＯＤ端末の利用者が１５歳未満である場合を例に説明する。
【００６０】
ＶＯＤ端末の構成は、第１の実施の形態（図１）と変わりがない。ただ、利用者の年齢情報は予めＶＯＤ端末１に登録されているものとする。
【００６１】
ＶＯＤサービスのコンテンツを選択しようとするユーザが、リモートコントローラ７から所定の操作を行うと、ＯＳＤ制御部１３は、コンテンツ一覧保存部１７からコンテンツ一覧情報を読み出し、その中からユーザの年齢で視聴可能なコンテンツのみを選択して、そのコンテンツ名及び料金を画像データに変換し、映像・音声出力部１２に出力する。
【００６２】
図８は、図９のブラウザ画面の上にＯＳＤ制御部１３から出力されたコンテンツ選択画像２３が重畳表示されたモニタ２の表示画面を示している。コンテンツ選択画像２３には、図２のコンテンツ一覧情報の内で１５歳未満のユーザが視聴可能な「番組１」「番組２」「番組３」「番組５」「番組６」及び「番組９」が表示されており、ユーザは、これらの番組のみから選択できる。
【００６３】
このように、このコンテンツ選択方法では、ＶＯＤサービスで提供するコンテンツの年齢による視聴制限を容易に実施することができる。
【００６４】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００６５】
本発明は、配信コンテンツの選択を素早く行うことができるＶＯＤ端末と、そのコンテンツ選択方法として、各種ＶＯＤサービスにおいて広く利用することができる。
【図面の簡単な説明】
【００６６】
【図１】本発明の第１の実施の形態におけるＶＯＤシステムのブロック図
【図２】本発明の第１の実施の形態におけるコンテンツ一覧情報の一例を示す図
【図３】本発明の第１の実施の形態におけるモニタ上の表示例を示す図
【図４】本発明の第１の実施の形態におけるリモートコントローラの一例を示す図
【図５】本発明の第１の実施の形態におけるモニタ上の他の表示例を示す図
【図６】本発明の第２の実施の形態におけるＯＳＤ制御部を示すブロック図
【図７】本発明の第２の実施の形態におけるモニタ上の表示例を示す図
【図８】本発明の第３の実施の形態におけるモニタ上の表示例を示す図
【図９】モニタ上のブラウザ画面を示す図
【符号の説明】
【００６７】
１      ＶＯＤ端末
２      モニタ
３      ＶＯＤサーバ
４      ＷＥＢサーバ
５      課金サーバ
６      ネットワーク
７      リモートコントローラ
１１    映像・音声復号化部
１２    映像・音声出力部
１３    ＯＳＤ制御部
１４    コンテンツ一覧取得部
１５    リモコンデータ受信部
１６    ネットワーク接続部
１７    コンテンツ一覧保存部
１８    ブラウザ表示部
２２    カーソル
２３    コンテンツ選択画像
２４    属性選択画像
７１    電源ボタン
７２    メニューボタン
７３    数字ボタン
７５    決定ボタン
１３１  属性情報制御部
１３２  表示制御部
２３１  コンテンツカーソル
２４１  属性カーソル
７４１  上ボタン
７４２  左ボタン
７４３  右ボタン
７４４  下ボタン
【図１】
2006345365.tif 000003
【図２】
2006345365.tif 000004
【図３】
2006345365.tif 000005
【図４】
2006345365.tif 000006
【図５】
2006345365.tif 000007
【図６】
2006345365.tif 000008
【図７】
2006345365.tif 000009
【図８】
2006345365.tif 000010
【図９】
2006345365.tif 000011